(57)【要約】【課題】フィルタ回路、メモリ等の大きな回路を削減し、安価な映像フォーマット変換装置及びこれを用いたデジタル放送受信装置を提供する。【解決手段】主映像出力の端子仕様、映像ソースの組み合わせに基づき、映像フォーマット変換を行わない場合、ダウンコンバートして出力する場合、アップコンバートして出力する場合に応じて、映像拡大縮小手段４０００、第１の水平拡大縮小回路７０の動作を使い分けることにより、１つの水平拡大縮小回路により、主映像出力、副映像出力の両方の水平拡大縮小処理を行う。【選択図】　図２
2004040696.tif 000002
【特許請求の範囲】
【請求項１】
入力されたデジタル映像信号を拡大縮小する映像拡大縮小手段と、文字図形情報を生成するＯＳＤ手段と、前記映像拡大縮小手段の出力を一時記憶する合成部ラインメモリと、前記合成部ラインメモリの出力と前記ＯＳＤ手段の出力とを合成する映像合成手段と、前記映像合成手段の出力について水平拡大縮小処理を行う第１の水平拡大縮小回路と、前記映像合成手段の出力と前記第１の水平拡大縮小回路の出力との何れかを選択する主映像選択回路と、前記主映像選択回路の出力について主映像出力用の垂直処理を行う主映像垂直拡大縮小回路と、前記主映像垂直拡大縮小回路において使用される信号を一時記憶しておく主映像ラインメモリと、前記映像合成手段の出力と前記第１の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えた映像フォーマット変換装置。
【請求項２】
入力されたデジタル映像信号を拡大縮小する映像拡大縮小手段と、文字図形情報を生成するＯＳＤ手段と、前記映像拡大縮小手段の出力を一時記憶する合成部ラインメモリと、前記合成部ラインメモリの出力と前記ＯＳＤ手段の出力とを合成する映像合成手段と、前記合成部ラインメモリの出力と前記映像合成手段の出力との何れかを選択する第１の合成部選択回路及び第２の合成部選択回路と、前記第１の合成部選択回路の出力及び前記第２の合成部選択回路の出力について時分割で主映像出力用の信号と副映像用の信号を切り替える主副映像信号選択回路を有し水平拡大縮小処理を行う第２の水平拡大縮小回路と、前記第１の合成部選択回路の出力と前記第２の水平拡大縮小回路の出力との何れかを選択する主映像選択回路と、前記主映像選択回路の出力について主映像出力用の垂直処理を行う主映像垂直拡大縮小回路と、前記主映像垂直拡大縮小回路において使用される信号を一時記憶しておく主映像ラインメモリと、前記第２の合成部選択回路の出力と前記第２の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えた映像フォーマット変換装置。
【請求項３】
入力されたデジタル映像信号を拡大縮小する映像拡大縮小手段と、文字図形情報を生成するＯＳＤ手段と、前記映像拡大縮小手段の出力を一時記憶し後述する主映像垂直拡大縮小回路において使用される信号を一時記憶する統合ラインメモリと、前記統合ラインメモリを管理するメモリ制御回路と、前記統合ラインメモリの出力と前記ＯＳＤ手段の出力とを合成する映像合成手段と、前記統合ラインメモリの出力と前記映像合成手段の出力との何れかを選択する第１の合成部選択回路及び第２の合成部選択回路と、前記第１の合成部選択回路の出力と後述する主映像垂直拡大縮小回路の出力との何れかを選択する入力選択回路と、前記入力選択回路の出力及び前記第２の合成部選択回路の出力について時分割で主映像出力用の信号と副映像用の信号を切り替える主副映像信号選択回路を有し水平拡大縮小処理を行う第２の水平拡大縮小回路と、前記第１の合成部選択回路の出力と前記第２の水平拡大縮小回路の出力との何れかを選択する主映像選択回路と、前記主映像選択回路の出力について主映像出力用の垂直処理を行う主映像垂直拡大縮小回路と、前記第２の合成部選択回路の出力と前記第２の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えた映像フォーマット変換装置。
【請求項４】
デジタル放送の電波を受信するアンテナの出力を復調処理するチューナー部と、前記チューナー部の出力をデジタル音声信号及びデジタル映像信号にデコードするＡＶデコーダと、前記ＡＶデコーダの出力を入力する請求項１、２又は３記載の映像フォーマット変換装置を備えたデジタル放送受信装置。
【発明の詳細な説明】
【０００１】
【発明の属する技術分野】
本発明は、複数の映像フォーマットの映像を入力し、複数の映像フォーマットを切り替えて出力可能な主映像出力と、従来方式の映像フォーマットを出力可能な副映像出力を有する映像フォーマット変換装置に関する。
【０００２】
【従来の技術】
近年、テレビジョン放送のデジタル化が進められており、日本において放送されている、ＢＳデジタル放送、ＣＳデジタル放送は、図６に示すような、１０８０ｉ、７２０ｐ、４８０ｐ、４８０ｉの４種類の映像フォーマットで放送されている。ここで図６はＢＳ／ＣＳデジタル放送で放送される映像フォーマットの仕様を示す表である。この放送を受信するデジタル放送受信装置の形態がセットトップボックス（ＳＴＢ）の場合、高精細表示対応の表示装置と接続する端子として、Ｄ端子と呼ばれるＹＰｂＰｒコンポーネント入出力が規格化されており（ＥＩＡＪ　ＣＰ−４１２０）、入出力可能な映像フォーマットに応じて図７のようにＤ１ないしＤ５端子まで区別され、放送フォーマットとして使用されていない１０８０ｐにまで対応するＤ５端子を除く、Ｄ１ないしＤ４端子が一般的に使用されている。ここで図７はＤ端子の仕様を示す表である。
【０００３】
また、アナログ高精細放送を受信可能なテレビジョンには、１０８０ｉのＹＰｂＰｒ信号のみを入力、表示することができるものがある。ＳＴＢでは、これら接続する表示装置の入力仕様に合わせて、映像フォーマットを変換して出力する必要がある。さらに、ＳＴＢとしては、ＮＴＳＣ等の従来方式に対応したテレビジョンや録画装置と接続するために、放送される映像フォーマットに関わらず、すべて４８０ｉで出力する端子も通常持ち合わせている。
【０００４】
図８は、従来の映像フォーマット変換装置を含むデジタル放送受信装置（ＳＴＢ）の構成を示すブロック図である。図８に示すデジタル放送受信装置３００は、チューナー部２、ＡＶ（オーディオ・ビデオ）デコーダ３、映像フォーマット変換装置１００、主映像出力部９、副映像出力部１０、音声出力部１１を含む。映像フォーマット変換装置１００は映像拡大縮小手段４０００、ＯＳＤ（Ｏｎ　Ｓｃｒｅｅｎ　Ｄｉｓｐｌａｙ）手段５０００、映像合成部６、主映像フォーマット変換部７、副映像フォーマット変換部８を有する。
【０００５】
以上のように構成された従来の映像フォーマット変換装置の動作について、以下に説明する。チューナー部２は、デジタル放送の電波を受信するアンテナ１で受信されたＩＦ信号を受け、復調処理等を行い、トランスポートストリームＴＳをＡＶデコーダ３へ出力する。ＡＶデコーダ３は、トランスポートストリームＴＳをデコードして、デジタル音声信号ＡＤ及びデジタル映像信号ＶＤを出力する。デジタル音声信号ＡＤは、音声出力部１１においてアナログ音声信号に変換され出力される。
【０００６】
映像拡大縮小手段４０００は、ＡＶデコーダ３の出力ＶＤを受け、データ放送規格等により定義された所定の大きさの映像に拡大あるいは縮小する。ＯＳＤ手段５０００は、データ放送等により定義された、所定の文字図形等を生成する。映像合成部６は、映像拡大縮小手段４０００から出力された映像と、ＯＳＤ手段５０００から出力されたＯＳＤ画像とを、ＯＳＤ画像に含まれるα値（合成値）に従ってα合成を行い、合成した映像を出力する。主映像フォーマット変換部７は、映像合成部６から出力された映像を、主映像出力に接続される表示装置の仕様に応じて、所定の解像度のデジタル映像信号に変換する。主映像出力部９は、主映像フォーマット変換部７で変換された映像を受け、アナログ主映像信号として出力する。副映像フォーマット変換部８は、映像合成部６から出力された映像を、ＮＴＳＣ等の従来の放送方式に適合するデジタル映像信号に変換する。副映像出力部１０は、副映像フォーマット変換部８で変換された映像を受け、ＮＴＳＣ等の従来の放送方式に対応する表示装置に表示可能なアナログ映像信号に変換して出力する。
【０００７】
次に、主映像フォーマット変換部７について詳細に説明する。図９は、主映像フォーマット変換部７の構成を示すブロック図である。主映像フォーマット変換部７は、水平拡大縮小回路１２と垂直拡大縮小回路１３から構成され、それぞれ積和演算によるデジタルフィルタ処理が行われる。水平ｎタップ、垂直ｍタップの場合、水平拡大縮小回路１２では、ｎ個の乗算器、１個のｎ入力加算器、垂直拡大縮小回路１３では、ｍ個の乗算器、１個のｍ入力加算器、ｍ−１個のラインメモリが必要となる。副映像フォーマット変換部８についても、主映像フォーマット変換部７と同様の回路構成となる。
【０００８】
【発明が解決しようとする課題】
しかしながら上記の従来の構成では、接続する表示装置に合わせて４８０ｉ、４８０ｐ、１０８０ｉ、７２０ｐを切り替えて出力可能な主映像出力と、ＮＴＳＣ等の従来の放送方式に基づき４８０ｉ固定で出力する副映像出力とを有するＳＴＢにおいて、主映像フォーマット変換部７及び副映像フォーマット変換部８では、両出力の映像を得るために個々に水平拡大縮小回路１２及び垂直拡大縮小回路１２を有する必要があり、回路コストが増大するという問題点を有していた。
【０００９】
本発明は上記従来の問題点を解決するもので、フィルタ処理用演算器、メモリ等の大きな回路を削減し、安価な映像フォーマット変換装置及びこれを用いたデジタル放送受信装置を提供することを目的とする。
【００１０】
【課題を解決するための手段】
この目的を達成するために本発明の映像フォーマット変換装置及びデジタル放送受信装置は、下記構成を有している。
【００１１】
（１）第１の発明
第１の発明に係る映像フォーマット変換装置は、入力されたデジタル映像信号を拡大縮小する映像拡大縮小手段と、文字図形情報を生成するＯＳＤ手段と、前記映像拡大縮小手段の出力を一時記憶する合成部ラインメモリと、前記合成部ラインメモリの出力と前記ＯＳＤ手段の出力とを合成する映像合成手段と、前記映像合成手段の出力について水平拡大縮小処理を行う第１の水平拡大縮小回路と、前記映像合成手段の出力と前記第１の水平拡大縮小回路の出力との何れかを選択する主映像選択回路と、前記主映像選択回路の出力について主映像出力用の垂直処理を行う主映像垂直拡大縮小回路と、前記主映像垂直拡大縮小回路において使用される信号を一時記憶しておく主映像ラインメモリと、前記映像合成手段の出力と前記第１の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えるものである。
【００１２】
（２）第２の発明
第２の発明に係る映像フォーマット変換装置は、入力されたデジタル映像信号を拡大縮小する映像拡大縮小手段と、文字図形情報を生成するＯＳＤ手段と、前記映像拡大縮小手段の出力を一時記憶する合成部ラインメモリと、前記合成部ラインメモリの出力と前記ＯＳＤ手段の出力とを合成する映像合成手段と、前記合成部ラインメモリの出力と前記映像合成手段の出力との何れかを選択する第１の合成部選択回路及び第２の合成部選択回路と、前記第１の合成部選択回路の出力及び前記第２の合成部選択回路の出力について時分割で主映像出力用の信号と副映像用の信号を切り替える主副映像信号選択回路を有し水平拡大縮小処理を行う第２の水平拡大縮小回路と、前記第１の合成部選択回路の出力と前記第２の水平拡大縮小回路の出力との何れかを選択する主映像選択回路と、前記主映像選択回路の出力について主映像出力用の垂直処理を行う主映像垂直拡大縮小回路と、前記主映像垂直拡大縮小回路において使用される信号を一時記憶しておく主映像ラインメモリと、前記第２の合成部選択回路の出力と前記第２の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えるものである。
【００１３】
（３）第３の発明
第３の発明に係る映像フォーマット変換装置は、入力されたデジタル映像信号を拡大縮小する映像拡大縮小手段と、文字図形情報を生成するＯＳＤ手段と、前記映像拡大縮小手段の出力を一時記憶し後述する主映像垂直拡大縮小回路において使用される信号を一時記憶する統合ラインメモリと、前記統合ラインメモリを管理するメモリ制御回路と、前記統合ラインメモリの出力と前記ＯＳＤ手段の出力とを合成する映像合成手段と、前記統合ラインメモリの出力と前記映像合成手段の出力との何れかを選択する第１の合成部選択回路及び第２の合成部選択回路と、前記第１の合成部選択回路の出力と後述する主映像垂直拡大縮小回路の出力との何れかを選択する入力選択回路と、前記入力選択回路の出力及び前記第２の合成部選択回路の出力について時分割で主映像出力用の信号と副映像用の信号を切り替える主副映像信号選択回路を有し水平拡大縮小処理を行う第２の水平拡大縮小回路と、前記第１の合成部選択回路の出力と前記第２の水平拡大縮小回路の出力との何れかを選択する主映像選択回路と、前記主映像選択回路の出力について主映像出力用の垂直処理を行う主映像垂直拡大縮小回路と、前記第２の合成部選択回路の出力と前記第２の水平拡大縮小回路の出力との何れかを選択する副映像選択回路と、前記副映像選択回路の出力について副映像出力用の垂直処理を行う副映像垂直縮小回路と、前記副映像垂直縮小回路において使用される信号を一時記憶しておく副映像ラインメモリとを備えるものである。
【００１４】
（４）第４の発明
第４の発明に係るデジタル放送受信装置は、デジタル放送の電波を受信するアンテナの出力を復調処理するチューナー部と、前記チューナー部の出力をデジタル音声信号及びデジタル映像信号にデコードするＡＶデコーダと、前記ＡＶデコーダの出力を入力する第１の発明、第２の発明又は第３の発明に係る映像フォーマット変換装置を備えるものである。
【００１５】
【発明の実施の形態】
以下、本発明に係る映像フォーマット変換装置として、デジタル放送受信装置に用いられる映像フォーマット変換装置について説明する。なお、本発明が適用される映像フォーマット変換装置は、この例に特に限定されず、入力の映像信号に対して、映像フォーマットを変換して出力するものであれば、他の映像フォーマット変換装置に同様に適用することができ、他の受信装置、映像再生装置等にも同様に用いることができる。
【００１６】
（実施の形態１）
図１は、本発明の実施の形態１における映像フォーマット変換装置を含むデジタル放送受信装置の構成を示すブロック図である。図１に示すデジタル放送受信装置３０００は、チューナー部２、映像フォーマット変換装置１０００、主映像出力部９、副映像出力部１０、音声出力部１１とこれらの動作を制御する制御部（図示せず）を含む。映像フォーマット変換装置１０００は、ＡＶデコーダ３、映像拡大縮小手段４０００、ＯＳＤ手段５０００、映像合成部６０００、映像フォーマット変換部７０００を有する。チューナー部２は、デジタル放送の電波を受信するアンテナ１で受信されたＩＦ信号を受け、復調処理等を行い、トランスポートストリームＴＳをＡＶデコーダ３へ出力する。ＡＶデコーダ３は、トランスポートストリームＴＳをデコードして、デジタル音声信号ＡＤ及びデジタル映像信号ＶＤを出力する。デジタル音声信号ＡＤは、音声出力部１１においてアナログ音声信号に変換され出力される。映像拡大縮小手段４０００は、ＡＶデコーダ３の出力ＶＤを受け、データ放送規格等により定義された所定の大きさの映像に拡大あるいは縮小する。ＯＳＤ手段５０００は、データ放送等により定義された所定の文字図形等を生成する。映像合成部６０００は、映像拡大縮小手段４０００から出力された映像と、ＯＳＤ手段５０００から出力されたＯＳＤ画像とを、ＯＳＤ画像に含まれるα値（合成値）に従ってα合成を行い、合成した映像を出力する。映像フォーマット変換部７０００は、映像合成部６０００から出力された映像を、主映像出力に接続される表示装置の仕様に応じて、所定の解像度のデジタル映像信号に変換するとともに、映像合成部６０００から出力された映像を、ＮＴＳＣ等の従来の放送方式に適合するデジタル映像信号に変換する。主映像出力部９は、映像フォーマット変換部７０００で変換された映像を受け、アナログ主映像信号として出力する。副映像出力部１０は、映像フォーマット変換部７０００で変換された映像を受け、ＮＴＳＣ等の従来の放送方式に対応する表示装置に表示可能なアナログ映像信号に変換して出力する。
【００１７】
次に、図１に示す映像フォーマット変換装置１０００について詳細に説明する。図２は本発明の実施の形態１における映像フォーマット変換装置１０００の構成を示すブロック図である。映像拡大縮小手段４０００においては、映像フレームメモリ４０に格納されている、ＡＶデコーダ３によりデコードされ格納されたデジタル映像データを読み出し、拡大縮小回路４１により、データ放送規格等により定義された所定の大きさの映像に拡大あるいは縮小する。
【００１８】
ＯＳＤ手段５０００においては、以下の処理が行われる。ＯＳＤフレームメモリ５０に格納されている文字図形データを読み出し画素単位での処理を行うために、いったんラインメモリ５１に格納する。色変換回路５２は、ラインメモリ５１に格納されているデータを１画素ずつ読み出し、ＣＬＵＴ（カラールックアップテーブル）等により、映像データと同じＹＣｂＣｒ値と合成の比率を表すα値に変換する。拡大回路５３は、ＯＳＤデータの画素数を映像データの画素数に合わせるため、２度振り等の処理を行う。ＯＳＤの解像度は、ＢＳ／ＣＳデジタル放送のデータ放送運用規定により定められており、１０８０ｉ、７２０ｐの場合は９６０画素×５４０ライン、４８０ｉ、４８０ｐの場合は７２０画素×４８０ラインである。
【００１９】
映像合成部６０００においては、以下の処理が行われる。拡大縮小回路４１から出力された映像データは、画素単位での処理を行うために、いったん合成部ラインメモリ６０に格納される。映像合成手段６１は、合成部ラインメモリ６０から読み出した映像データと、拡大回路５３から出力される文字図形データを、文字図形データに含まれるα値に基づいてα合成を行い、映像フォーマット変換部７０００に出力する。
【００２０】
映像フォーマット変換部７０００は、映像合成部６０００の出力Ｖを受け水平方向の拡大または縮小を行う第１の水平拡大縮小回路７０、映像合成手段６１の出力Ｖか、第１の水平拡大縮小回路７０の出力かを選択する主映像選択回路７１、主映像選択回路７１の出力を受け垂直方向の拡大または縮小を行う主映像垂直拡大縮小回路７２、主映像垂直拡大縮小回路７２において使用されるデータを一時的に格納しておく主映像ラインメモリ７３、主映像選択回路７１の出力か、主映像垂直拡大縮小回路７２の出力かを選択するセレクタ７４、映像合成部６０００の出力Ｖか、第１の水平拡大縮小回路７０の出力かを選択する副映像選択回路７５、副映像選択回路７５の出力を受け垂直方向の縮小を行う副映像垂直縮小回路７６、副映像垂直縮小回路７６において使用されるデータを一時的に格納しておく副映像ラインメモリ７７から構成される。
【００２１】
以下その動作について説明する。制御部（図示せず）により前記各回路を制御することにより、主映像出力として、Ｄ１出力、Ｄ２出力、Ｄ３出力、Ｄ４出力、Ｄ５出力、１０８０ｉ固定出力、副映像出力として４８０ｉ固定出力を以下のようにして実現できる。
【００２２】
主映像出力からＤ４端子あるいはＤ５端子として出力する場合は、以下のような動作となるよう各回路を制御する。主映像出力と接続する表示装置は、４８０ｉ、４８０ｐ、１０８０ｉ、７２０ｐすべての映像フォーマットを表示することができるので、主映像選択回路７１の入力ａ、セレクタ７４の入力ａを選択して、映像合成部６０００の出力Ｖをそのまま主映像出力として出力する。副映像出力用の処理には、副映像選択回路７５の入力ｂを選択し、第１の水平拡大縮小回路７０を使用する。映像ソースが４８０ｉの場合は、入力画素数７２０、フィールドあたりの走査線数２４０に対して第１の水平拡大縮小回路７０は等倍、副映像垂直縮小回路７６は等倍で動作させる。映像ソースが４８０ｐの場合は、入力画素数７２０、走査線数４８０に対して第１の水平拡大縮小回路７０は等倍、副映像垂直縮小回路７６は１／２倍で動作させる。映像ソースが１０８０ｉの場合は、入力画素数１９２０、フィールドあたりの走査線数５４０に対して第１の水平拡大縮小回路７０は３／８倍、副映像垂直縮小回路７６は４／９倍で動作させる。映像ソースが７２０ｐの場合は、入力画素数１２８０、走査線数７２０に対して第１の水平拡大縮小回路７０は９／１６倍、副映像垂直縮小回路７６は１／３倍で動作させる。こうすることにより、それぞれ４８０ｉの出力を得る。
【００２３】
なお、映像ソースが４８０ｐ、４８０ｉの場合には、副映像選択回路７５の入力ａを選択して第１の水平拡大縮小回路７０を使用しない方法により実現しても良い。
【００２４】
主映像出力からＤ３端子として出力する場合は、以下のような動作となるよう各回路を制御する。主映像出力と接続する表示装置は、４８０ｉ、４８０ｐ、１０８０ｉの映像を表示することができるので、映像ソースが４８０ｉ、４８０ｐ、１０８０ｉの場合には、主映像選択回路７１の入力ａ、セレクタ７４の入力ａを選択して、映像合成部６０００の出力Ｖをそのまま主映像出力に出力する。映像ソースが７２０ｐのときには、拡大縮小回路４１において、データ放送等で指定される拡大縮小処理に加えて、１０８０ｉへの変換を合わせて行う。すなわち、たとえばデータ放送として映像を３／４に縮小して表示するよう指定されている場合は、水平画素数１９２０×（３／４）＝１４４０画素、走査線数５４０×（３／４）＝４０５本に変換することになるので、入力画素数１２８０に対して９／８倍、入力走査線数７２０に対して９／１６倍の拡大縮小を行う。副映像出力用の処理には、副映像選択回路７５の入力ｂを選択して第１の水平拡大縮小回路７０を使用する。映像ソースが４８０ｉの場合は、入力画素数７２０、フィールドあたりの走査線数２４０に対して第１の水平拡大縮小回路７０は等倍、副映像垂直縮小回路７６は等倍で動作させる。映像ソースが４８０ｐの場合は、入力画素数７２０、走査線数４８０に対して第１の水平拡大縮小回路７０は等倍、副映像垂直縮小回路７６は１／２倍で動作させる。映像ソースが１０８０ｉあるいは７２０ｐの場合は、入力画素数１９２０、フィールドあたりの走査線数５４０に対して第１の水平拡大縮小回路７０は３／８倍、副映像垂直縮小回路７６は４／９倍で動作させる。こうすることにより、それぞれ４８０ｉの出力を得る。
【００２５】
なお、映像ソースが４８０ｐ、４８０ｉの場合には、副映像選択回路７５の入力ａを選択して第１の水平拡大縮小回路７０を使用しない方法により実現しても良い。
【００２６】
主映像出力からＤ２端子として出力する場合は、以下のような動作となるよう各回路を制御する。主映像出力用の処理には、主映像選択回路７１の入力ｂ、セレクタ７４の入力ｂを選択して第１の水平拡大縮小回路７０、主映像垂直拡大縮小回路７２、主映像ラインメモリ７３を使用する。第１の水平拡大縮小回路７０は、副映像側と共通で使用する。映像ソースが４８０ｉの場合は、入力画素数７２０、フィールドあたりの走査線数２４０に対して第１の水平拡大縮小回路７０は等倍、主映像垂直拡大縮小回路７２は等倍で動作させて４８０ｉの出力を得る。映像ソースが４８０ｐの場合は、入力画素数７２０、走査線数４８０に対して第１の水平拡大縮小回路７０は等倍、主映像垂直拡大縮小回路７２は等倍で動作させ、映像ソースが１０８０ｉの場合は、入力画素数１９２０、フィールドあたりの走査線数５４０に対して第１の水平拡大縮小回路７０は３／８倍、主映像垂直拡大縮小回路７２は８／９倍で動作させ、映像ソースが７２０ｐの場合は、入力画素数１２８０、走査線数７２０に対して第１の水平拡大縮小回路７０は９／１６倍、主映像垂直拡大縮小回路７２は２／３倍で動作させ、それぞれ４８０ｐの出力を得る。
【００２７】
なお、映像ソースが４８０ｐ、４８０ｉの場合には、主映像選択回路７１の入力ａを選択して第１の水平拡大縮小回路７０を使用しない方法により実現しても良い。セレクタ７４についても、同様に入力ａを選択して主映像垂直拡大縮小回路７２を使わない方法により実現しても良い。
【００２８】
副映像出力用の処理には、副映像選択回路７５の入力ｂを選択して第１の水平拡大縮小回路７０を使用する。映像ソースが４８０ｉの場合は、入力画素数７２０、フィールドあたりの走査線数２４０に対して第１の水平拡大縮小回路７０は等倍、副映像垂直縮小回路７６は等倍で動作させ、映像ソースが４８０ｐの場合は、入力画素数７２０、走査線数４８０に対して第１の水平拡大縮小回路７０は等倍、副映像垂直縮小回路７６は１／２倍で動作させ、映像ソースが１０８０ｉの場合は、入力画素数１９２０、フィールドあたりの走査線数５４０に対して第１の水平拡大縮小回路７０は３／８倍、副映像垂直縮小回路７６は８／９倍で動作させ、映像ソースが７２０ｐの場合は、入力画素数１２８０、走査線数７２０に対して第１の水平拡大縮小回路７０は９／１６倍、副映像垂直縮小回路７６は２／３倍で動作させることにより、それぞれ４８０ｉによる出力を得る。
【００２９】
なお、映像ソースが４８０ｐ、４８０ｉの場合には、副映像選択回路７５の入力ａを選択して第１の水平拡大縮小回路７０を使わない方法により実現しても良い。
【００３０】
主映像出力からＤ１端子として出力する場合は、以下のような動作となるよう各回路を制御する。主映像出力用の処理には、主映像選択回路７１の入力ｂ、セレクタ７４の入力ｂを選択して第１の水平拡大縮小回路７０、主映像垂直拡大縮小回路７２、主映像ラインメモリ７３を使用する。水平拡大縮小回路７０は、副映像出力用の処理と共通で使用する。映像ソースが４８０ｉの場合は、入力画素数７２０、フィールドあたりの走査線数２４０に対して第１の水平拡大縮小回路７０は等倍、主映像垂直拡大縮小回路７２は等倍で動作させ、映像ソースが４８０ｐの場合は、入力画素数７２０、走査線数４８０に対して第１の水平拡大縮小回路７０は等倍、主映像垂直拡大縮小回路７２は１／２倍で動作させ、映像ソースが１０８０ｉの場合は、入力画素数１９２０、フィールドあたりの走査線数５４０に対して第１の水平拡大縮小回路７０は３／８倍、主映像垂直拡大縮小回路７２は８／９倍で動作させ、映像ソースが７２０ｐの場合は、入力画素数１２８０、走査線数７２０に対して第１の水平拡大縮小回路７０は９／１６倍、主映像垂直拡大縮小回路７２は２／３倍で動作させ、それぞれ４８０ｐの出力を得る。
【００３１】
なお、映像ソースが４８０ｐ、４８０ｉの場合には、主映像選択回路７１については、ａ側を選択して第１の水平拡大縮小回路７０を使わない方法も考えられる。映像ソースが４８０ｉの場合にはセレクタ７４についても同様にａ側を選択して主映像垂直拡大縮小回路７２を使わない方法も考えられる。
【００３２】
副映像出力用の処理には、副映像選択回路７５の入力ｂを選択して第１の水平拡大縮小回路７０を前述の通り主映像出力用の処理と共通で使用する。映像ソースが４８０ｉの場合は、入力画素数７２０、フィールドあたりの走査線数２４０に対して第１の水平拡大縮小回路７０は等倍、副映像垂直縮小回路７６は等倍で動作させ、映像ソースが４８０ｐの場合は、入力画素数７２０、走査線数４８０に対して第１の水平拡大縮小回路７０は等倍、副映像垂直縮小回路７６は１／２倍で動作させ、映像ソースが１０８０ｉの場合は、入力画素数１９２０、フィールドあたりの走査線数５４０に対して第１の水平拡大縮小回路７０は３／８倍、副映像垂直縮小回路７６は８／９倍で動作させ、映像ソースが７２０ｐの場合は、入力画素数１２８０、走査線数７２０に対して第１の水平拡大縮小回路７０は９／１６倍、副映像垂直縮小回路７６は２／３倍で動作させることにより、それぞれ４８０ｉによる出力を得る。
【００３３】
なお、映像ソースが４８０ｐ、４８０ｉの場合には、副映像選択回路７５の入力ａを選択して第１の水平拡大縮小回路７０を使用しない方法により実現しても良い。
【００３４】
主映像出力から１０８０ｉ固定で出力する場合は、以下のような動作となるよう各回路を制御する。映像ソースが１０８０ｉの場合には、主映像選択回路７１の入力ａ、セレクタ７４の入力ａを選択して、映像合成部６０００の出力Ｖをそのまま主映像出力に出力し、１０８０ｉの出力を得る。副映像出力用の処理には、副映像選択回路７５の入力ｂを選択し、入力画素数１９２０、フィールドあたりの走査線数５４０に対して第１の水平拡大縮小回路７０は３／８倍、副映像垂直縮小回路７６は４／９倍で動作させることにより、４８０ｉの出力を得る。
【００３５】
映像ソースが７２０ｐの場合には、拡大縮小回路４１において、データ放送等で指定される拡大縮小処理に加えて、１０８０ｉへの変換を合わせて行い、映像拡大縮小手段４０００の出力において１０８０ｉに変換する。映像フォーマット変換部７０００における動作は映像ソースが１０８０ｉのときと同じ動作とし、主映像出力として１０８０ｉの出力、副映像出力として４８０ｉの出力を得る。
【００３６】
映像ソースが４８０ｐの場合、主映像出力用の処理には主映像選択回路７１の入力ｂ、セレクタ７４のｂ側の入力を選択して第１の水平拡大縮小回路７０、主映像垂直拡大縮小回路７２、主映像ラインメモリ７３を使用し、入力画素数７２０、フィールドあたりの走査線数４８０に対して第１の水平拡大縮小回路７０は８／３倍、主映像垂直拡大縮小回路７２は９／８倍で動作させ、主映像出力として１０８０ｉの出力を得る。副映像出力用の処理には、副映像選択回路７５の入力ａを選択して、映像合成部６０００の出力Ｖを直接副映像垂直縮小回路７６に入力し、副映像垂直縮小回路７６は１／２倍で動作させることにより、４８０ｉの出力を得る。
【００３７】
映像ソースが４８０ｉの場合、主映像用の処理には、主映像選択回路７１の入力ｂ、セレクタ７４の入力ｂを選択して第１の水平拡大縮小回路７０、主映像垂直拡大縮小回路７２、主映像ラインメモリ７３を使用し、入力画素数７２０、フィールドあたりの走査線数２４０に対して第１の水平拡大縮小回路７０は８／３倍、主映像垂直拡大縮小回路７２は９／４倍で動作させ、主映像出力として１０８０ｉの出力を得る。副映像出力用の処理には、副映像選択回路７５の入力ａを選択して、映像合成部６０００の出力Ｖを直接副映像垂直縮小回路７６に入力し、副映像垂直縮小回路７６は等倍で動作させることにより、４８０ｉの出力を得る。
【００３８】
なお、映像拡大縮小手段４において４８０ｐへの変換を先に行い、ＯＳＤとの合成を行ってから、映像フォーマット変換部７では映像ソースが４８０ｐの場合と同様の処理を行うことにより実現しても良い。
【００３９】
以上のように、１つの第１の水平拡大縮小回路７０を用いて、主映像出力用、副映像出力用の映像フォーマット変換を行うことができるので、第１の水平拡大縮小回路７０に係るフィルタ演算器等の回路構成を簡略化して回路コストを低減することができる。
【００４０】
（実施の形態２）
図３は本発明の実施の形態２における映像フォーマット変換装置の構成を示すブロック図であり、映像拡大縮小手段４０００、ＯＳＤ手段５、映像合成部６００１、映像フォーマット変換部７００１の構成を示すブロック図である。
【００４１】
実施の形態２と、実施の形態１とで異なる点は、映像合成部６０００において、映像合成手段６１の入力とその出力とのいずれかを選択し出力Ｖ１として出力する第１の合成部選択回路６２ａと、同じく映像合成手段６１の入力とその出力とのいずれかを選択し出力Ｖ２として出力する第２の合成部選択回路６３ａが付加され、映像フォーマット変換部７０００において第１の水平拡大縮小回路７０が、Ｖ１、Ｖ２の２系統の映像データを入力して水平拡大縮小処理を行うことができる第２の水平拡大縮小回路７０ａに置き換えられた点であり、その他の点は図２における、映像拡大縮小手段４０００、ＯＳＤ手段５０００、映像合成部６０００、映像フォーマット変換部７０００の構成と同様であるので、同一部分には同一符号を付し、以下詳細な説明を省略する。
【００４２】
図４は、第２の水平拡大縮小回路７０ａ内部の詳細な構成を示すブロック図である。第２の水平拡大縮小回路７０ａは、Ｖ１から入力されたデータ列を保持するラッチ７０１、Ｖ２から入力されたデータ列を保持するラッチ７０２、ラッチ７０１に保持されているデータとラッチ７０２に保持されているデータのどちらかを選択する主副映像信号選択回路７０３、フィルタ処理を行う積和演算器７０４、Ｖ１から入力されたデータ列のフィルタ処理結果を保持するラッチ７０５、Ｖ２から入力されたデータ列のフィルタ処理結果を保持するラッチ７０６を含む。第２の水平拡大縮小回路７０ａは、主副映像信号選択回路７０３の制御方法により、３通りの動作が可能である。すなわち、主副映像信号選択回路７０３の入力ａに固定することにより入力Ｖ１に対する水平拡大縮小処理を行うことができ、主副映像信号選択回路７０３の入力ｂに固定することにより入力Ｖ２に対する水平拡大縮小処理を行うことができ、主副映像信号選択回路７０３の入力を交互に切り替えて時分割で使用することにより、単位時間に処理可能な画素数は、前２者と比較して１／２になるが、入力Ｖ１とＶ２の両方に対する水平拡大縮小処理を行うことができる。
【００４３】
主映像出力にはＯＳＤを合成した画面を出力し、副映像出力にはＯＳＤを合成しない画面を出力する場合には、第１の合成部選択回路６２ａの入力ａ、第２の合成部選択回路６３ａの入力ｂを選択することにより、映像合成部６００１の出力Ｖ１はＯＳＤを合成した信号、Ｖ２にはＯＳＤを合成しない信号となる。
【００４４】
また、主映像出力にはＯＳＤを合成しない画面を出力し、副映像出力にはＯＳＤを合成した画面を出力する場合には、第１の合成部選択回路６２ａの入力ｂ、第２の合成部選択回路６３ａの入力ａを選択することにより、映像合成部６００１の出力Ｖ１はＯＳＤを合成しない信号、Ｖ２にはＯＳＤを合成した信号となる。
【００４５】
主映像出力がＤ４あるいはＤ３出力の場合、または主映像出力がＤ２あるいはＤ１で映像ソースが４８０ｉ，４８０ｐの場合、または主映像出力が１０８０ｉ固定で映像ソースが１０８０ｉ、７２０ｐの場合には、主映像選択回路７１の入力ａ、副映像選択回路７５の入力ｂ、主副映像信号選択回路７０３の入力ｂを選択し、第２の水平拡大縮小回路７０ａは、副映像出力用の処理に使用する。
【００４６】
主映像出力がＤ２あるいはＤ１で映像ソースが１０８０ｉ、７２０ｐの場合には、拡大縮小回路４１において、データ放送等で指定される拡大縮小処理に加えて、全画面の場合の水平画素数が９６０画素となるように縮小する。すなわち、たとえば映像が１０８０ｉで、データ放送として映像を３／４に縮小して表示するよう指定されている場合は、（９６０／１９２０）×（３／４）＝３／８倍の縮小を行う。
【００４７】
ＯＳＤについては、通常の１０８０ｉの場合、拡大回路５３において水平９６０画素のデータに対して２度振りを行って水平１９２０画素とするが、この拡大処理を行わず、９６０画素のままで映像と合成する。
【００４８】
さらに、主映像選択回路７１の入力ｂ、副映像選択回路７５の入力ｂを選択し、主副映像信号選択回路７０３については、前述の通り、入力ａ、ｂ側を交互に切り替えることにより、第２の水平拡大縮小回路７０ａを、主映像出力用、副映像出力用の両方の処理に使用する。
【００４９】
主映像出力が１０８０ｉ固定で映像ソースが４８０ｉ、４８０ｐの場合には、主映像選択回路７１の入力ｂ、副映像選択回路７５の入力ａ、主副映像信号選択回路７０３の入力ａを選択し、第２の水平拡大縮小回路７０ａは、主映像出力用の処理に使用する。
【００５０】
以上のように、主映像出力用と副映像出力用の映像が異なる場合にも、１つの第２の水平拡大縮小回路７０ａを用いて、主映像出力用、副映像出力用の映像フォーマット変換を行うことができるので、第２の水平拡大縮小回路７０ａに係るフィルタ演算器等の回路構成を簡略化して回路コストを低減することができる。
【００５１】
（実施の形態３）
図５は、本発明の実施の形態３における映像フォーマット変換装置の構成を示すブロック図であり、映像拡大縮小手段４０００、ＯＳＤ手段５０００、映像合成部６００２、映像フォーマット変換部７００２の構成を示すブロック図である。
【００５２】
実施の形態３と、実施の形態２とで異なる点は、映像フォーマット変換部７００１において、映像合成部６００１の出力Ｖ１と、主映像垂直拡大縮小回路７２の出力を選択し、第２の水平拡大縮小回路７０ａに入力する入力選択回路７８ｂが付加され、セレクタ７４が第２の水平拡大縮小回路７０ａの出力ＶＯ１を選択できるように入力を追加したセレクタ７４ｂに置き換えられ、合成部ラインメモリ６０と主映像ラインメモリ７３とが、共通の統合ラインメモリ２０１ｂとこれを管理するメモリ制御部２００ｂに置きかえられた点であり、その他の点については図３における、映像拡大縮小手段４０００、ＯＳＤ手段５０００、映像合成部６００１、映像フォーマット変換部７００１の構成と同様であるので、同一部分には同一符号を付し、以下詳細な説明を省略する。
【００５３】
実施の形態３の場合でも、実施の形態２と同様、以下のようにして映像フォーマット変換が可能である。主映像出力がＤ３ないしＤ５出力の場合、または主映像出力がＤ２あるいはＤ１で映像ソースが４８０ｉ、４８０ｐの場合、または主映像出力が１０８０ｉ固定で映像ソースが１０８０ｉ、７２０ｐの場合には、実施の形態２と同じく、主映像選択回路７１の入力ａ、入力選択回路７８ｂの入力ａ、副映像選択回路７５の入力ｂ、主副映像信号選択回路７０３の入力ｂを選択し、第２の水平拡大縮小回路７０ａは、副映像出力用の処理に使用する。このとき、統合ラインメモリ２０１ｂは、映像合成部の一時記憶としてのみ使用する。
【００５４】
主映像出力がＤ２あるいはＤ１で映像ソースが１０８０ｉ、７２０ｐの場合でも、実施の形態２と同じく、拡大縮小回路４１において、データ放送等で指定される拡大縮小処理に加えて、全画面の場合の水平画素数が９６０画素となるように縮小し、主映像選択回路７１の入力ｂ、入力選択回路７８ｂの入力ａ、副映像選択回路７５の入力ｂを選択し、主副映像信号選択回路７０３については入力ａ、ｂ側を交互に切り替えることにより、第２の水平拡大縮小回路７０ａを、主映像出力用、副映像出力用の両方の処理に使用する。このとき、統合ラインメモリ２０１ｂは、映像合成部６００２の一時記憶、主映像出力の垂直縮小処理用の両方の用途において使用する。
【００５５】
主映像出力が１０８０ｉ固定で映像ソースが４８０ｉ、４８０ｐの場合には、主映像選択回路７１の入力ａ、入力選択回路７８ｂの入力ｂ、セレクタ７４ｂの入力ｃ、副映像選択回路７５の入力ａ、主副映像信号選択回路７０３の入力ａを選択し、第２の水平拡大縮小回路７０ａによる水平拡大処理の前に、主映像垂直拡大縮小回路７２によって垂直拡大処理を行う。
【００５６】
以上の処理において、必要なメモリ容量は以下のようになる。映像合成部６００２において、一時的な記憶を統合ラインメモリ２０１ｂのダブルバッファにより構成し、主映像の垂直処理を４タップフィルタで行うために３ライン分のラインメモリを使用するとする。この条件の下、実施の形態２の場合に必要なメモリの容量は、映像合成部６００１の一時記憶として、１９２０画素×２＝３８４０画素、垂直処理用のラインメモリとして、１９２０画素×３＝５７６０画素、合計９６００画素分必要である。
【００５７】
一方、実施の形態３の場合に必要なメモリの容量は、主映像出力がＤ４あるいはＤ３出力の場合、または主映像出力がＤ２あるいはＤ１で映像ソースが４８０ｉ、４８０ｐの場合、または主映像出力が１０８０ｉ固定で映像ソースが１０８０ｉ、７２０ｐの場合には、映像合成部６００２の一時記憶として、１９２０画素×２＝３８４０画素分必要で、主映像出力がＤ２あるいはＤ１で映像ソースが１０８０ｉ、７２０ｐの場合には、映像合成部６００２の一時記憶として９６０画素×２＝１９２０画素、垂直処理用のラインメモリとして７２０画素×３＝２１６０画素、合計４０８０画素分必要である。主映像出力が１０８０ｉ固定で映像ソースが４８０ｉ、４８０ｐの場合には、映像合成部の一時記憶として７２０画素×２＝１４４０画素、垂直処理用のラインメモリとして７２０画素×３＝２１６０画素、合計３６００画素分必要である。したがって、最大で合計４０８０画素分のメモリが必要とされるにすぎず、実施の形態２に比してメモリの容量が少なくて済む。
【００５８】
このように、主映像の出力形式と映像ソースのフォーマットに応じて、記憶容量の配分を変えることができるので、メモリの容量の合計を少なくして回路コストを低減することができる。
【００５９】
【発明の効果】
以上のように、本発明によれば、映像フォーマット変換に係るフィルタ処理用演算器、メモリ等の回路を削減し、安価な映像フォーマット変換装置及びこれを用いたデジタル放送受信装置を提供することができるという優れた効果が得られる。
【図面の簡単な説明】
【図１】本発明の実施の形態１における映像フォーマット変換装置を含むデジタル放送受信装置の構成を示すブロック図
【図２】本発明の実施の形態１における映像フォーマット変換装置の構成を示すブロック図
【図３】本発明の実施の形態２における映像フォーマット変換装置の構成を示すブロック図
【図４】本発明の実施の形態２における第２の水平拡大縮小回路の構成を示すブロック図
【図５】本発明の実施の形態３における映像フォーマット変換装置の構成を示すブロック図
【図６】ＢＳ／ＣＳデジタル放送で放送される映像フォーマットの仕様を示す図
【図７】Ｄ端子の仕様を示す図
【図８】従来の映像フォーマット変換装置を含むデジタル放送受信装置の構成を示すブロック図
【図９】従来の映像フォーマット変換装置における主映像フォーマット変換部の構成を示すブロック図
【符号の説明】
６２ａ　第１の合成部選択回路
６３ａ　第２の合成部選択回路
７０　第１の水平拡大縮小回路
７０ａ　第２の水平拡大縮小回路
７１　主映像選択回路
７２　主映像垂直拡大縮小回路
７３　主映像ラインメモリ
７４、７４ｂ　セレクタ
７５　副映像選択回路
７６　副映像垂直縮小回路
７７　副映像ラインメモリ
７８ｂ　入力選択回路
７０１、７０２、７０５、７０６　ラッチ
７０３　主副映像信号選択回路
７０４　積和演算器
４０００　映像拡大縮小手段
５０００　ＯＳＤ手段
６０００、６００１、６００２　映像合成部
７０００、７００１、７００２　映像フォーマット変換部
【図１】
2004040696.tif 000003
【図２】
2004040696.tif 000004
【図３】
2004040696.tif 000005
【図４】
2004040696.tif 000006
【図５】
2004040696.tif 000007
【図６】
2004040696.tif 000008
【図７】
2004040696.tif 000009
【図８】
2004040696.tif 000010
【図９】
2004040696.tif 000011